【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
聴覚装置及び対側聴覚装置を備えるバイノーラル聴覚システムのための前記聴覚装置であって、
前記バイノーラル聴覚システムの前記対側聴覚装置と通信するためのトランシーバモジュールであって、前記対側聴覚装置から対側バンドパスビームフォーミング信号を取得するように構成されるトランシーバモジュールと、
第１のマイクロフォン入力信号を提供するための第１のマイクロフォン及び第２のマイクロフォン入力信号を提供するための第２のマイクロフォンを有する１組のマイクロフォンと、
前記１組のマイクロフォンに接続されており、前記第１のマイクロフォン入力信号及び前記第２のマイクロフォン入力信号に基づいて第１のビームフォーミング信号を提供するための第１のビームフォーミングモジュールと、
前記第１のビームフォーミングモジュールに接続されているフィルタバンクであって、前記第１のビームフォーミング信号を、第１のバンドパスビームフォーミング信号を含む複数の第１のサブバンドビームフォーミング信号へフィルタリングするためのフィルタバンクと、
前記フィルタバンク及び前記トランシーバモジュールに接続されている第２のビームフォーミングモジュールであって、前記第１のバンドパスビームフォーミング信号及び前記対側バンドパスビームフォーミング信号に基づいて第２のバンドパスビームフォーミング信号を提供するためのバンドパスビームフォーマを備える第２のビームフォーミングモジュールと、
前記バンドパスビームフォーマに接続されており、前記第２のバンドパスビームフォーミング信号に基づいてビームフォーミングされた入力信号を提供するための加算器と、
前記ビームフォーミングされた入力信号を処理し、且つ、前記ビームフォーミングされた入力信号に基づいて電気出力信号を提供するためのプロセッサと、
前記電気出力信号を音響出力信号へ変換するためのレシーバと、を備える、聴覚装置。
【請求項２】
前記第２のビームフォーミングモジュールの前記バンドパスビームフォーマは、適応型ビームフォーマである、請求項１に記載の聴覚装置。
【請求項３】
前記バンドパスビームフォーマは、バンドパスビームフォーミングコントローラと、第１の乗算器とを備え、
前記バンドパスビームフォーマは、前記第１のバンドパスビームフォーミング信号及び前記対側バンドパスビームフォーミング信号に基づいて、前記第１のバンドパスビームフォーミング信号の第１のバンドパス係数を決定し、且つ、前記第１の乗算器において前記第１のバンドパス係数を適用するように構成されている、請求項２に記載の聴覚装置。
【請求項４】
前記バンドパスビームフォーマは、前記第１のバンドパスビームフォーミング信号及び前記対側バンドパスビームフォーミング信号のパワーの期待値に基づいて、最小化問題を解くことによって、前記第１のバンドパスビームフォーミング信号の前記第１のバンドパス係数を決定するように構成されている、請求項３に記載の聴覚装置。
【請求項５】
前記バンドパスビームフォーマは、前記第１のバンドパスビームフォーミング信号及び前記対側バンドパスビームフォーミング信号の線形結合の二乗平均の期待値に基づいて、最小化問題を解くことによって、前記第１のバンドパスビームフォーミング信号の前記第１のバンドパス係数を決定するように構成されている、請求項３又は４に記載の聴覚装置。
【請求項６】
前記バンドパスビームフォーマは、対側乗算器を備え、
前記バンドパスビームフォーミングコントローラは、前記第１のバンドパスビームフォーミング信号及び前記対側バンドパスビームフォーミング信号に基づいて、前記対側バンドパスビームフォーミング信号の対側バンドパス係数を決定するように、且つ、前記対側乗算器において、前記対側バンドパス係数を適用するように構成されている、請求項２から５のいずれか一項に記載の聴覚装置。
【請求項７】
前記バンドパスビームフォーミングコントローラは、前記第１のバンドパスビームフォーミング信号及び前記対側バンドパスビームフォーミング信号のパワーの期待値に基づいて、最小化問題を解くことによって、前記対側バンドパスビームフォーミング信号の前記対側バンドパス係数を決定するように構成されている、請求項６に記載の聴覚装置。
【請求項８】
前記バンドパスビームフォーミングコントローラは、前記第１のバンドパスビームフォーミング信号及び前記対側バンドパスビームフォーミング信号の線形結合の二乗平均の期待値に基づいて、最小化問題を解くことによって、前記対側バンドパスビームフォーミング信号の前記対側バンドパス係数を決定するように構成されている、請求項６又は７に記載の聴覚装置。
【請求項９】
前記バンドパスビームフォーマは、イコライザ入力に基づいて前記第２のバンドパスビームフォーミング信号を提供するように構成されるバンドパスイコライザを備えており、
前記イコライザ入力は、前記第１のバンドパスビームフォーミング信号及び／又は前記対側バンドパスビームフォーミング信号に基づいている、請求項２から８のいずれか一項に記載の聴覚装置。
【請求項１０】
前記第２のビームフォーミングモジュールは、第１のローパスビームフォーミング信号に基づいて、且つ、対側ローパスビームフォーミング信号にも基づいて、第２のローパスビームフォーミング信号を提供するためのローパスビームフォーマを備えており、
前記加算器は、前記第２のローパスビームフォーミング信号に基づいて、前記ビームフォーミングされた入力信号を提供するために、前記ローパスビームフォーマに接続されている、請求項２から９のいずれか一項に記載の聴覚装置。
【請求項１１】
前記第２のビームフォーミングモジュールは、第１のハイパスビームフォーミング信号に基づいて、且つ、対側ハイパスビームフォーミング信号にも基づいて、第２のハイパスビームフォーミング信号を提供するためのハイパスビームフォーマを備えており、
前記加算器は、前記第２のハイパスビームフォーミング信号に基づいて、前記ビームフォーミングされた入力信号を提供するために、前記ハイパスビームフォーマに接続されている、請求項２から１０のいずれか一項に記載の聴覚装置。
【請求項１２】
前記聴覚装置は、前記第２のビームフォーミングモジュールを制御するために、前記第２のビームフォーミングモジュールに接続されたビームフォーミングコントローラを備え、
前記ビームフォーミングコントローラは、前記第２のビームフォーミングモジュールで、前記聴覚装置の一次動作モードにおいて、第２の一次ビームフォーミングスキームを適用し、前記第２のビームフォーミングモジュールで、前記聴覚装置の二次動作モードにおいて、第２の二次ビームフォーミングスキームを適用するように構成されている、請求項２から１１のいずれか一項に記載の聴覚装置。
【請求項１３】
前記ビームフォーミングコントローラは、前記第１のビームフォーミングモジュールを制御するために、前記第１のビームフォーミングモジュールに接続されており、
前記ビームフォーミングコントローラは、前記第１のビームフォーミングモジュールで、前記聴覚装置の前記一次動作モードにおいて、第１の一次ビームフォーミングスキームを適用し、前記聴覚装置の前記二次動作モードにおいて、第１の二次ビームフォーミングスキームを適用するように構成されている、請求項１２に記載の聴覚装置。
【請求項１４】
第１のビームフォーミングモジュールは、前記トランシーバモジュールに接続されており、前記トランシーバモジュールは、前記第１のビームフォーミング信号の少なくとも一部を前記対側聴覚装置に送信するように構成されている、請求項２から１３のいずれか一項に記載の聴覚装置。
【請求項１５】
聴覚装置及び対側聴覚装置を備えるバイノーラル聴覚システムのための前記聴覚装置であって、
前記バイノーラル聴覚システムの前記対側聴覚装置と通信するためのトランシーバモジュールであって、前記対側聴覚装置から対側ビームフォーミング信号を取得するように構成されるトランシーバモジュールと、
第１のマイクロフォン入力信号を提供するための第１のマイクロフォン及び第２のマイクロフォン入力信号を提供するための第２のマイクロフォンを有する１組のマイクロフォンと、
前記１組のマイクロフォンに接続されており、前記第１のマイクロフォン入力信号及び前記第２のマイクロフォン入力信号に基づいて第１のビームフォーミング信号を提供するための第１のビームフォーミングモジュールと、
前記第１のビームフォーミングモジュール及び前記トランシーバモジュールに接続されているフィルタバンクであって、前記第１のビームフォーミング信号を、第１のバンドパスビームフォーミング信号を含む複数の第１のサブバンドビームフォーミング信号へフィルタリングし、前記対側ビームフォーミング信号を対側バンドパスビームフォーミング信号へフィルタリングするためのフィルタバンクと、
前記フィルタバンクに接続されている第２のビームフォーミングモジュールであって、前記第１のバンドパスビームフォーミング信号及び前記対側バンドパスビームフォーミング信号に基づいて第２のバンドパスビームフォーミング信号を提供するためのバンドパスビームフォーマを備える第２のビームフォーミングモジュールと、
前記バンドパスビームフォーマに接続されており、前記第２のバンドパスビームフォーミング信号に基づいてビームフォーミングされた入力信号を提供するための加算器と、
前記ビームフォーミングされた入力信号を処理し、且つ、前記ビームフォーミングされた入力信号に基づいて電気出力信号を提供するためのプロセッサと、
前記電気出力信号を音響出力信号へ変換するためのレシーバと、を備え、
前記第２のビームフォーミングモジュールの前記バンドパスビームフォーマは、適応型ビームフォーマである、聴覚装置。
【請求項１６】
聴覚装置及び対側聴覚装置を備えるバイノーラル聴覚システムにおいて前記聴覚装置を動作させる方法であって、前記方法は、
前記対側聴覚装置から対側バンドバスビームフォーミング信号を取得することと、
第１のマイクロフォン入力信号及び第２のマイクロフォン入力信号を取得することと、
前記第１のマイクロフォン入力信号及び前記第２のマイクロフォン入力信号に基づいて、第１のビームフォーミング信号を提供することと、
前記第１のビームフォーミング信号をフィルタリングして、第１のバンドパスビームフォーミング信号を提供することと、
前記第１のバンドパスビームフォーミング信号及び前記対側バンドパスビームフォーミング信号に基づいて、第２のバンドパスビームフォーミング信号を提供することと、
前記第２のバンドパスビームフォーミング信号に基づいて、ビームフォーミングされた入力信号を提供することと、
前記ビームフォーミングされた入力信号に対して聴覚補償処理を実行し、電気出力信号を提供することと、
前記電気出力信号を音響出力信号へ変換することと、を備える、方法。